(57)【特許請求の範囲】
【請求項１】
コンロバーナと、前記コンロバーナが設けられるコンロ本体と、前記コンロ本体の天板部と、を備え、
前記天板部には、前記コンロバーナが挿通するバーナ挿通口が形成され、
前記コンロバーナの上端部が前記バーナ挿通口を挿通し、前記バーナ挿通口の内周縁と前記コンロバーナの前記上端部の外周縁との間に平面視環状をした隙間が形成され、
前記天板部の前記バーナ挿通口の周縁部の上面に当接または近接して配置される外周部と、前記コンロバーナの外周面に当接または近接して配置される内周部とを有し、平面視において前記隙間を覆う環状をしたバーナリングが設けられ、
平面視において前記バーナリングを覆う環状をしたリングカバーが設けられ、
前記バーナリングには、上面の一部にその周りの部分よりも上方に隆起する隆起部が設けられ、
前記リングカバーには、平面視において前記隆起部に対応する位置の下面に前記隆起部の上面に載置される被載置部が設けられるとともに、前記被載置部が前記隆起部に載置された状態で、前記バーナリングの側部を覆う垂下片が外端部から垂下され、
前記垂下片の下端から前記被載置部までの上下長さが、前記天板部の上面から前記隆起部の上面までの上下長さよりも短いことを特徴とするガスコンロ。
【請求項２】
前記隆起部が４以上の複数個設けられ、
前記複数の隆起部は、前後方向に伸びる前記バーナリングの中心線を対称軸として線対称となるとともに、前記バーナリングの中心点を中心として点対称となるように位置および形状が形成されることを特徴とする請求項１記載のガスコンロ。
【請求項３】
前記複数の隆起部は、所定の前記上下長さを有する３個以上の高隆起部と、前記高隆起部を除いた残りの前記隆起部であって前記上下長さが前記所定の前記上下長さよりも短い低隆起部と、備え、
前記高隆起部同士を結ぶ直線が前記バーナリングの中心点を通らないように前記高隆起部が位置していることを特徴とする請求項２記載のガスコンロ。
【発明の詳細な説明】
【技術分野】
【０００１】
本発明は、ガスコンロに関するものである。
【背景技術】
【０００２】
従来より、コンロバーナの上端部が天板部のバーナ挿通口を挿通するガスコンロが知られている。その中でも、バーナ挿通口の内周縁とコンロバーナの上端部の外周縁との間に形成される隙間を覆うバーナリングと、バーナリングを覆うリングカバーが設けられるものが開発されている（例えば特許文献１参照）。
【先行技術文献】
【特許文献】
【０００３】
【特許文献１】特開２０１１−１７９７２３号公報
【発明の概要】
【発明が解決しようとする課題】
【０００４】
上記ガスコンロにあっては、バーナリングに被されたリングカバーは、バーナリングの側部を覆う垂下片の下端が天板部に載置されている。
【０００５】
このため、リングカバーによって天板部に疵がつく惧れがあった。
【０００６】
本発明は上記従来の問題点に鑑みて発明したものであって、その目的とするところは、リングカバーによって天板部に疵がつくのが抑制されるガスコンロを提供することを課題とするものである。
【課題を解決するための手段】
【０００７】
請求項１に係るガスコンロは、コンロバーナと、前記コンロバーナが設けられるコンロ本体と、前記コンロ本体の天板部と、を備える。前記天板部には、前記コンロバーナが挿通するバーナ挿通口が形成され、前記コンロバーナの上端部が前記バーナ挿通口を挿通し、前記バーナ挿通口の内周縁と前記コンロバーナの前記上端部の外周縁との間に平面視環状をした隙間が形成される。前記天板部の前記バーナ挿通口の周縁部の上面に当接または近接して配置される外周部と、前記コンロバーナの外周面に当接または近接して配置される内周部とを有し、平面視において前記隙間を覆う環状をしたバーナリングが設けられる。平面視において前記バーナリングを覆う環状をしたリングカバーが設けられる。前記バーナリングには、上面の一部にその周りの部分よりも上方に隆起する隆起部が設けられる。前記リングカバーには、平面視において前記隆起部に対応する位置の下面に前記隆起部の上面に載置される被載置部が設けられるとともに、前記被載置部が前記隆起部に載置された状態で、前記バーナリングの側部を覆う垂下片が外端部から垂下される。前記垂下片の下端から前記被載置部までの上下長さが、前記天板部の上面から前記隆起部の上面までの上下長さよりも短いことを特徴とする。
【０００８】
請求項２に係るガスコンロは、請求項１に係るガスコンロにおいて、前記隆起部が４以上の複数個設けられ、前記複数の隆起部は、前後方向に伸びる前記バーナリングの中心線を対称軸として線対称となるとともに、前記バーナリングの中心点を中心として点対称となるように位置および形状が形成されることを特徴とする。
【０００９】
請求項３に係るガスコンロは、請求項２に係るガスコンロにおいて、前記複数の隆起部は、所定の前記上下長さを有する３個以上の高隆起部と、前記高隆起部を除いた残りの前記隆起部であって前記上下長さが前記所定の前記上下長さよりも短い低隆起部と、備え、前記高隆起部同士を結ぶ直線が前記バーナリングの中心点を通らないように前記高隆起部が位置していることを特徴とする。
【発明の効果】
【００１０】
請求項１に係るガスコンロにあっては、リングカバーの垂下片が天板部から上方に離間して位置するため、垂下片が天板部に直接当接することがなくなり、天板部に疵がつくのが抑制される。
【００１１】
請求項２に係るガスコンロにあっては、見栄えが良くなり、バーナリングを天板部に取り付ける際にバーナリングの前後の向きが任意でよいため、バーナリングの取り付け作業がし易いものである。
【００１２】
また、高隆起部同士を結ぶ直線がバーナリングの中心点を通ると、この直線を中心にバーナリングがシーソーのように容易に動き、がたつきが生じる虞があるところ、請求項３に係るガスコンロにあっては、がたつきが生じるのが抑制される。
【図面の簡単な説明】
【００１３】
【図１】図１Ａは本発明の第一実施形態のガスコンロの一部分解斜視図であり、図１Ｂは本発明のガスコンロの第一実施形態の一部分解平面図である。
【図２】図２Ａは第一実施形態のガスコンロのコンロバーナを設けた部分の拡大断面図であり、図２Ｂは第一実施形態のガスコンロのコンロバーナを設けた部分の寸法関係を説明する拡大断面図である。
【図３】図３は第一実施形態のバーナへのガスの供給を説明する説明図である。
【図４】図４は第一実施形態の五徳の斜視図である。
【図５】図５Ａは第一実施形態のバーナリングの平面図であり、図５Ｂは第一実施形態のバーナリングの側面図であり、図５Ｃは同上の第一実施形態のバーナリングの斜視図である。
【図６】図６Ａは第一実施形態のリングカバーの平面図であり、図６Ｂは第一実施形態のリングカバーの側面図であり、図６Ｃは同上の第一実施形態のリングカバーの斜視図である。
【図７】図７Ａは第二実施形態のリングカバーの平面図であり、図７Ｂは第二実施形態のリングカバーの側面図であり、図７Ｃは同上の第二実施形態のリングカバーの斜視図である。
【図８】図８Ａは第二実施形態のリングカバーの平面図であり、図８Ｂは第二実施形態のリングカバーの側面図であり、図８Ｃは同上の第二実施形態のリングカバーの斜視図である。
【発明を実施するための形態】
【００１４】
以下、本発明を図１乃至図６に示す第一実施形態に基いて説明する。第一実施形態におけるガスコンロは、一般的に広く利用されているグリル付きガスコンロとして説明するが、グリルを備えていないガスコンロであってもよい。また、キッチンカウンターにビルトインされるもの、されないもののいずれであってもよい。
【００１５】
ガスコンロ１は、図１に示すように、コンロバーナ２と、コンロバーナ２が設けられるコンロ本体１０と、を備える。
【００１６】
コンロ本体１０は、上面の全面または一部に、上方へ向けた開口を有する筐体状をしたものである。コンロ本体１０は、第一実施形態では平面視矩形状をしているが、形状は特に限定されず、また、側壁や底壁の一部を有しなくてもよい。コンロ本体１０には、その上面の開口を閉塞する天板部１１が設けられる。
【００１７】
第一実施形態では、天板部１１は、コンロ本体１０と同様の平面視矩形状をしており、コンロ本体１０と同様の形状をしていることが好ましいが、特に限定されない。また、天板部１１は、ガラスで形成されているが、金属やその他の材質で形成されたり、あるいは複数の材質が組み合わされて形成されてもよく、特に限定されない。例えば、天板本体がガラスで形成され、天板本体の周縁に取り付けられる枠部が金属で形成されていてもよい。
【００１８】
天板部１１には、図１、図２に示すように、コンロバーナ２が挿通するバーナ挿通口１２が形成される。第一実施形態では、バーナ挿通口１２は、平面視において円形状をしており、コンロバーナ２の形状と同じで、コンロバーナ２よりも大きい。なお、バーナ挿通口１２の平面視形状は、特に限定されないが、コンロバーナ２の外周縁２５よりも大きく、コンロバーナ２の外周縁２５に沿っていることが好ましい。
【００１９】
また第一実施形態では、バーナ挿通口１２は、天板部１１の手前の左側と、中央の奥と、手前の右側に、計三個設けられている。
【００２０】
天板部１１は、バーナ挿通口１２以外の部分においては、煮汁等の液体が上下に挿通しないように形成される。また、天板部１１は、上面が面一となっていることが好ましい。この天板部１１とコンロ本体１０とにより、ガスコンロ１の外殻が構成される。
【００２１】
コンロバーナ２は、コンロ本体１０に固定される。第一実施形態では、図２に示すように、コンロバーナ２は、バーナ本体２０上にバーナキャップ２１が着脱自在に載置されて構成される。バーナ本体２０は、外筒２２ａと内筒２２ｂとその間の底壁２２ｃとで囲まれる、平面視環状をした上方に開口する空間２２ｄを有しており、その上にバーナキャップ２１が載置されることで、空間２２ｄの上方への開口が閉塞されて混合室２２が形成される。バーナキャップ２１は、その下面に放射状に複数の炎孔用溝２１ａが凹設されており、バーナ本体２０の上に載置されることにより、バーナ本体２０の上端面と炎孔用溝２１ａとで囲まれる炎孔２３が形成される。
【００２２】
バーナ本体２０には、図３に示すように、混合管２４が一体に形成され、混合管２４の内部と混合室２２とが連通している。混合管２４の上流端には、流入開口が形成され、この流入開口に一次空気が挿通可能な空気供給用間隙２４ａをあけてガスノズル４３が配置される。
【００２３】
コンロバーナ２は、図１Ａ、図２に示すように、その上端部がバーナ挿通口１２を挿通する。第一実施形態では、バーナキャップ２１およびバーナ本体２０の上部がバーナ挿通口１２を挿通して、天板部１１の上面よりも上方に突出している。図１に示すように、天板部１１の手前の左側に高火力コンロバーナ２ａが設けられ、中央の奥に小火力コンロバーナ２ｂが設けられ、手前の右側に高火力コンロバーナ２ｃが設けられている。そして、図２に示すように、天板部１１のバーナ挿通口１２の内周縁１２ａと、コンロバーナ２の上端部の外周縁２５との間に、平面視環状をした隙間１３が形成されるものである。
【００２４】
天板部１１上に、図１、図２に示すように、五徳３が載置されて、コンロバーナ２および五徳３により加熱部が構成される。五徳３は、天板部１１上のコンロバーナ２の周囲に載置され、被加熱物としての調理容器の底部が載置されるものである。第一実施形態では、五徳３は、図４に示すように、平面視環状をした五徳枠３１と、五徳枠３１に固定される複数個の五徳爪３２と、を備えている。五徳枠３１は、断面略円形状の金属製の丸棒材が平面視環状に曲成されることで形成される。五徳爪３２は、複数個（第一実施形態では６個）が五徳枠３１の周方向に略等間隔に溶接によって固定される。
【００２５】
コンロ本体１０内には、グリルバーナを備えたグリル庫が設けられている。図１Ａに示すように、グリル庫の前開口は、コンロ本体１０の前面に設けたグリル扉１４によって開閉自在に閉塞される。
【００２６】
図３に示すように、コンロバーナ２およびグリルバーナには、都市ガス等の燃料ガスが供給される。第一実施形態では、燃料ガスを供給するガス供給管４から、各コンロバーナ２、グリルバーナに燃料ガスを供給するためのガス導管４０が分岐されている。
【００２７】
各ガス導管４０には、元電磁弁４１が設けられると共に、通過する燃料の量を制御する流量制御弁４２と、流量制御弁４２を駆動するステッピングモータ等の駆動手段が設けられる。各ガス導管４０の先端には、上述したガスノズル４３が設けられる。
【００２８】
図１Ａに示すように、コンロ本体１０の前面部を構成する前面パネル１５には、コンロバーナ２およびグリルバーナを操作するための操作部１６が設けられている。操作部１６は、コンロバーナ２およびグリルバーナの点火および消火の切り替えや、火力調節を指令するものである。操作部１６からの指令を受けて、制御部がコンロバーナ２やグリルバーナの点消火の切り替えや火力調節、調理タイマーモード、湯沸しモード、炊飯モード等の自動調理モードを設定できるようになっている。
【００２９】
制御部は、マイクロコンピュータや記憶部等を備え、制御プログラムにより制御を行うもので、既存のものが適宜利用可能である。
【００３０】
図３に示すように、操作部１６を操作して、制御部に点火の指令を送ると、指令を受けた制御部は、対応するガス導管４０の元電磁弁４１を開き、流量制御弁４２を所定開度で開き、点火プラグ２６をスパークさせて、コンロバーナ２やグリルバーナに点火させる。
【００３１】
コンロバーナ２およびグリルバーナには、熱伝対等からなる燃焼検出手段２７が設けられており、点火しているか否かを検出し、点火していない場合には元電磁弁４１を閉じる等の処理を行う。
【００３２】
コンロバーナ２は、図２に示すように、バーナ本体２０の内筒２２ｂ内のコンロバーナ内貫通孔２２ｅに、五徳３に載置される調理容器の底部に当接してその温度を検知する温度センサ２８を備えている。
【００３３】
コンロバーナ２の炎孔２３に形成される火炎により、五徳３上に載置された調理容器等の被加熱物を加熱し、グリルバーナの炎孔に形成される火炎により、グリル庫内の肉や魚等の被加熱物を加熱する。
【００３４】
図１、図２に示すように、天板部１１のバーナ挿通口１２の内周縁とコンロバーナ２の外周縁２５との間に形成される環状をした上述した隙間１３に、該隙間１３を覆う平面視において環状をしたバーナリング５が設けられる。
【００３５】
平面視におけるバーナリング５の外周部５１は、天板部１１のバーナ挿通口１２の周縁部の上面に配置されるものである。また、平面視におけるバーナリング５の内周部５２は、コンロバーナ２の外周面に当接または近接して配置されるものである。バーナリング５が設けられることにより、天板部１１上にこぼれた煮汁等がバーナ挿通口１２よりコンロ本体１０内に浸入するのが抑制される。
【００３６】
第一実施形態では、バーナリング５は、図２、図５に示すように、天板部１１のバーナ挿通口１２に上方より挿入される筒状をした挿入部５０と、挿入部５０の上端部から外側に連設されるフランジ状をした外周部５１と、挿入部５０の上端部から内側に連設されるフランジ状をした内周部５２と、を備えている。
【００３７】
第一実施形態では、バーナリング５は、主に金属で形成されるが、材質は特に限定されず、例えば琺瑯がけしたものであってもよい。
【００３８】
第一実施形態では、図２に示すように、外周部５１は、天板部１１のバーナ挿通口１２の周縁部の上面に近接して配置され、間にシール５６が介在している。これにより、バーナリング５が金属等の硬い材質で形成されている場合に、バーナリング５が天板部１１上に直接当接することがなくなり、天板部１１に疵がつくのが抑制される。なお、バーナリング５の外周部５１と天板部１１のバーナ挿通口１２の周縁部の上面との間にシール５６が介在しなくてもよく、外周部５１は、天板部１１のバーナ挿通口１２の周縁部の上面に当接して配置されてもよい。
【００３９】
第一実施形態では、図２に示すように、内周部５２は、コンロバーナ２の上端部の外周面に近接して配置され、間にシール５７が介在しているが、シール５７が介在しなくてもよい。これにより、バーナリング５は、内周部５２がシール５７を介してコンロバーナ２の上端部の外周面の所定部分に近接して配置され、コンロバーナ２に対する位置決めがなされる。
【００４０】
第一実施形態では、バーナリング５の外周部５１の外端縁は、図５に示すように、平面視において、それぞれ１５０°程度の中心角をなす二つの円弧状部５１ａの間に直線状部５１ｂを有し、バーナ挿通口１２よりも大きい。また、挿入部５０と内周部５２の内端縁とは、バーナ挿通口１２と略同じ円形状をしており、バーナ挿通口１２よりも小さい。また、バーナリング５の外周部５１の外端縁は、平面視において、前後方向に伸びるバーナリング５の中心線Ｌを対称軸として線対称となるとともに、バーナリング５の中心点Ｃを中心として点対称となる形状をしている。
【００４１】
なお、バーナリング５は、第一実施形態では環状をしているが、厳密な環状ではなく、一部が不連続となっていてもよい。
【００４２】
また第一実施形態では、図１、図４に示すように、五徳枠３１の内端縁の形状が、バーナリング５の外周部５１の外端縁と同様に、平面視において、それぞれ１５０°程度の中心角をなす二つの円弧状部３１ａの間に直線状部３１ｂを有する、前後方向に伸びるバーナリング５の中心線Ｌを対称軸として線対称となるとともに、バーナリング５の中心点Ｃを中心として点対称となる形状をしている。そして、五徳枠３１の内端縁は、バーナリング５の外周部５１の外端縁よりも若干大きく、五徳枠３１の内端縁がバーナリング５の外周部５１の外端縁に被嵌される。これにより、五徳枠３１は、バーナリング５に対して位置決めがなされるとともに所定の向きとなる状態で、天板部１１上に載置される。なお、この場合の所定の向きとは、平面視において１８０°反転したいずれの向きでもよく、中心点Ｃを中心とする点対称形状をしているためいずれの向きでも同形状となる。
【００４３】
バーナリング５および五徳３がこのような形状であるため、バーナリング５に対する五徳３の所定の向きが一見して分かり、五徳３を所定の向きとしてバーナリング５に被嵌し易い。また、五徳枠３１の平面視形状を円弧と直線の組み合わせとすることで、従来の円環状をした五徳枠から若干の変更を加えるだけで五徳枠３１を製造することができて、設計が容易である。
【００４４】
また第一実施形態では、図１、図４に示すように、６個の五徳爪３２のうち、各円弧状部３１ａの中央部に位置する二つの対角位置の五徳爪３２に、嵌合突片３３が形成されている。嵌合突片３３は、五徳枠３１の内側に位置しており、下方に尖った先端を有する。一方、バーナリング５には、外周部５１の外端縁の各円弧状部３１ａの中央部の二つの対角位置の上面に、嵌合突片３３が上方より嵌合する嵌合凹部５３が形成されている。これにより、上述した五徳枠３１の内端縁とバーナリング５の外周部５１の外端縁との嵌合による位置決めに加えて、嵌合突片３３と嵌合凹部５３との嵌合によってより強固に五徳３のバーナリング５に対する位置決めがなされる。
【００４５】
さらに本発明にあっては、図１、図２に示すように、平面視においてバーナリング５を覆う環状をしたリングカバー６が設けられる。
【００４６】
図２、図６に示すように、平面視におけるリングカバー６の外端部６１は、天板部１１のバーナ挿通口１２の周縁部の上面の上方に間隔をあけて配置されるものである。外端部６１から、バーナリング５の側部５５を覆う垂下片６３が垂下される。また、平面視におけるリングカバー６の内周部６２は、コンロバーナ２の外周面に当接または近接して配置されるものである。リングカバー６が設けられることにより、天板部１１上にこぼれた煮汁等がバーナ挿通口１２よりコンロ本体１０内に浸入しようとしても浸入する前にリングカバー６に付着する。これにより、天板部１１上にこぼれた煮汁等のコンロ本体１０内への浸入が抑制されるとともに、煮汁等がバーナリング５に付着せずリングカバー６に付着するため、リングカバー６だけを洗浄すればよく、お手入れ性が向上するものである。
【００４７】
第一実施形態では、リングカバー６の外端部６１の外端縁は、図６に示すように、平面視において、それぞれ１５０°程度の中心角をなす二つの円弧状部６１ａの間に直線状部６１ｂを有する、前後方向に伸びるリングカバー６の中心線を対称軸として線対称となるとともに、リングカバー６の中心点を中心として点対称となる形状をしている。
【００４８】
また第一実施形態では、リングカバー６は、琺瑯がけした金属で形成されるが、材質は特に限定されず、金属（合金含む）単体や、セラミック等の材質でもよい。
【００４９】
また第一実施形態では、内周部６２の内端縁は、バーナ挿通口１２と略同じ円形状をしており、バーナ挿通口１２よりも小さい。また、内周部６２の内端縁は、コンロバーナ２の外周面に当接または近接して配置される。また、外端部６１には、平面視において五徳３の嵌合突片３３に対応する位置に、嵌合突片３３との干渉を避けるための切欠６４が形成されている。また、内周部６２には、平面視においてコンロバーナ２の燃焼検出手段２７に対応する位置に、燃焼検出手段２７との干渉を避けるための切欠６５が形成されている。また、内周部６２には、平面視においてコンロバーナ２の点火プラグ２６に対応する位置に、点火プラグ２６との干渉を避けるための切欠６６が形成されている。
【００５０】
なお、リングカバー６は、第一実施形態では環状をしているが、厳密な環状ではなく、一部が不連続となっていてもよい。
【００５１】
そして、本発明においては、天板部１１に疵がつくのを抑制するため、バーナリング５に隆起部５４が設けられ、バーナリング５およびリングカバー６の寸法関係に工夫が施されている。
【００５２】
隆起部５４は、図５に示すように、バーナリング５の上面の一部にその周りの部分よりも上方に隆起するものである。これに対し、リングカバー６には、平面視において隆起部５４に対応する位置の下面に、隆起部５４の上面に載置される被載置部が設けられる。被載置部としては、第一実施形態では特別な構成はなく、単に隆起部５４の上面と当接する部分を意味する。
【００５３】
第一実施形態では、図５Ａに示すように、平面視において、中心点Ｃからみて中心線Ｌに対して後向きから左側に３０°をなす方向（１１時の方向）に隆起部５４ａが設けられ、同じく左側に１５０°をなす方向（７時の方向）に隆起部５４ｂが設けられる。また、中心点Ｃからみて中心線Ｌに対して後向きから右側に３０°をなす方向（１時の方向）に隆起部５４ｃが設けられ、同じく右側に１５０°をなす方向（５時の方向）に隆起部５４ｄが設けられている。これらの隆起部５４ａ〜ｄは、中心線Ｌを対称軸として線対称となるとともに、中心点Ｃを中心として点対称となるように位置および形状が形成される。また、各隆起部５４ａ〜ｄの高さも同じに形成されているが、異なってもよい。
【００５４】
そして、バーナリング５およびリングカバー６の寸法関係は、図２Ｂに示すように、被載置部が隆起部５４に載置されてバーナリング５にリングカバー６が被さった状態で、垂下片６３の下端から被載置部までの上下長さｈ１が、天板部１１の上面から隆起部５４の上面までの上下長さｈ２よりも短くなるように形成される。
【００５５】
第一実施形態では、垂下片６３の下端から被載置部までの上下長さｈ１が１．４ｍｍ、天板部１１の上面から隆起部５４の上面までの上下長さｈ２が１．９ｍｍで、垂下片６３の下端は天板部１１の上面から上方に０．５ｍｍ離間した位置に位置している。
【００５６】
これにより、リングカバー６が琺瑯がけした金属等の硬い材質で形成されていても、リングカバー６の垂下片６３が天板部１１から上方に離間して位置するため、垂下片６３が天板部１１に直接当接することがなくなり、天板部１１に疵がつくのが抑制される。
【００５７】
また、隆起部５４は、バーナリング５の上面の一部に設けられるものであり、バーナリング５の上面全体がリングカバー６の下面全体に当接しないようになっている。これにより、リングカバー６からバーナリング５への熱伝導を抑えてバーナリング５の温度上昇を抑えることができ、バーナリング５に汚れが付着した場合に汚れがこびりつき難くなる。
【００５８】
なお、隆起部５４は平面視環状またはＣ字状に一個設けられてもよいが、複数個設けられてもよい。これにより、一個の隆起部５４が設けられるものと比較して、バーナリング５とリングカバー６との接触面積が小さくて済む。また、隆起部５４が４以上の複数個設けられ、複数の隆起部５４が、中心線Ｌを対称軸として線対称となるとともに、中心点Ｃを中心として点対称となるように位置および形状が形成されることにより、見栄えもよくなる。
【００５９】
次に、図７および図８に示す第二実施形態について説明する。なお、第二実施形態は、大部分において第一実施形態と同じであるため、同じ部分については説明を省略するとともに図面において同符号を付し、主に異なる部分について説明する。
【００６０】
第二実施形態では、バーナリング５の外周部５１の外端縁の形状、リングカバー６の外端部６１の外端縁の形状、および、図示しない五徳枠３１の内端縁の形状が、円形状をしている。そして、隆起部５４が、計６個設けられている。
【００６１】
図７Ａに示すように、バーナリング５には、平面視において、中心点Ｃからみて前後方向に伸びる中心線Ｌに対して後向きから左側に３０°をなす方向（１１時の方向）に隆起部５４ｅが設けられ、同じく左側に９０°をなす方向（９時の方向）に隆起部５４ｆが設けられ、同じく左側に１５０°をなす方向（７時の方向）に隆起部５４ｇが設けられる。また、中心点Ｃからみて中心線Ｌに対して後向きから右側に３０°をなす方向（１時の方向）に隆起部５４ｊが設けられ、同じく右側に９０°をなす方向（３時の方向）に隆起部５４ｉが設けられ、同じく右側に１５０°をなす方向（５時の方向）に隆起部５４ｈが設けられている。これらの隆起部５４ｅ〜ｊは、中心線Ｌを対称軸として線対称となるとともに、中心点Ｃを中心として点対称となるように位置および形状が形成される。
【００６２】
また、隆起部５４ｅ、隆起部５４ｇ、隆起部５４ｉにおける、天板部１１の上面から隆起部５４の上面までの上下長さｈ２が１．２ｍｍで、隆起部５４ｆ、隆起部５４ｈ、隆起部５４ｊにおける、天板部１１の上面から隆起部５４の上面までの上下長さｈ２が１．５ｍｍである。すなわち、隆起部５４ｆ、隆起部５４ｈ、隆起部５４ｊが所定の上下長さ（すなわち１．５ｍｍ）を有する高隆起部となり、隆起部５４ｅ、隆起部５４ｇ、隆起部５４ｉが、高隆起部を除いた残りの隆起部５４であって、上下長さが所定の上下長さよりも短い１．２ｍｍである低隆起部となっている。
【００６３】
これにより、主に隆起部５４として機能するのは、隆起部５４ｆ、隆起部５４ｈ、隆起部５４ｊの三つであり、リングカバー６がバーナリング５に三点支持される状態となり、安定性が向上するものである。特に、第二実施形態では、高隆起部となる隆起部５４ｆ、隆起部５４ｈ、隆起部５４ｊの位置関係が、高隆起部同士を結ぶ直線がバーナリング５の中心点Ｃを通らないように位置している。高隆起部同士を結ぶ直線の中に、バーナリング５の中心点Ｃを通る直線が存在すると、この直線上に位置する二つの高隆起部によりバーナリング５が実質支持され、この直線を中心にその両側にシーソーのように容易に動いてがたつきが生じる惧れがあるところ、高隆起部同士を結ぶ直線がバーナリング５の中心点Ｃを通らないように位置していると、そのようながたつきが生じ難い。
【００６４】
また、隆起部５４が４以上の複数個（特に偶数個が好ましく、第二実施形態では６個）設けられ、複数の隆起部５４が、中心線Ｌを対称軸として線対称となるとともに、中心点Ｃを中心として点対称となるように位置および形状が形成されることにより、見栄えもよくなる。また、バーナリング５を天板部１１に取り付ける際にバーナリング５の前後の向きが任意でよいため、バーナリング５の取り付け作業がし易いものである。
【符号の説明】
【００６５】
１    ガスコンロ
１１  天板部
１２  バーナ挿通口
１２ａ  内周縁
１３  隙間
２    コンロバーナ
２５  外周縁
３    五徳
４    ガス供給管
５    バーナリング
５１  外周部
５２  内周部
５４  隆起部
５５  側部
５６  シール
５７  シール
６    リングカバー
６１  外端部
６２  内周部
６３  垂下片
Ｃ    中心
Ｌ    直線
ｈ１  上下長さ
ｈ２  上下長さ
【図１】
0006448086.tif 000002
【図２】
0006448086.tif 000003
【図３】
0006448086.tif 000004
【図４】
0006448086.tif 000005
【図５】
0006448086.tif 000006
【図６】
0006448086.tif 000007
【図７】
0006448086.tif 000008
【図８】
0006448086.tif 000009